(57)【要約】      （修正有）【課題】操作が簡単でコストが低いインテリジェントランプアッセンブリを提供する。【解決手段】第１のランプケース、第１のランプケースに設置される第１の光源モジュール２２０、第１の光源モジュールを覆う第１のランプシェード、第１のランプシェードに固定される撮影モジュール２４０、並びに、制御信号を送信するための第１のブルートゥースモジュール２５１及び外部操作制御装置５００が接続されるネットワークモジュール２５２を更に含み、第１の光源モジュール及び撮影モジュールを制御するように配置されるシステムチップ２５０を有するメインランプ２００と、第２のランプケース、第２のランプケースに設置される第２の光源モジュール３２０、第２の光源モジュールを覆う第２のランプシェード、及び制御信号を受信するための第２のブルートゥースモジュール３４０を含み、メインランプに信号接続されるサブランプ３００と、を備える。【選択図】図１
0003211089.tif 000002
【実用新案登録請求の範囲】
【請求項１】
第１のランプケースと、前記第１のランプケースに設置される第１の光源モジュールと、前記第１のランプケースに設置され且つ前記第１の光源モジュールを覆い、また開口部を有する第１のランプシェードと、前記第１のランプシェードに固定され、前記開口部内に位置する撮影モジュールと、制御信号を送信するように配置される第１のブルートゥースモジュール、及び無線信号又はインターネットによって外部操作制御装置に接続されるネットワークモジュールを更に含み、前記第１の光源モジュール及び前記撮影モジュールを制御するように、第１の光源モジュール及び前記撮影モジュールに電気的に接続されるシステムチップと、を有するメインランプと、
第２のランプケースと、前記第２のランプケースに設置される第２の光源モジュールと、前記第２のランプケースに設置され且つ前記第２の光源モジュールを覆う第２のランプシェードと、前記第１のブルートゥースモジュールの送信した前記制御信号を受信するように配置される第２のブルートゥースモジュールと、を含み、前記メインランプに信号接続される少なくとも１つのサブランプと、
を備えるインテリジェントランプアッセンブリ。
【請求項２】
前記メインランプは、前記第１の光源モジュールの外側に設置され、前記第１の光源モジュールの発生した光線を前記撮影モジュールの前方に反射するための凹面を有する反射部材を更に含む請求項１に記載のインテリジェントランプアッセンブリ。
【請求項３】
前記メインランプは、前記第１の光源モジュールの外側に設置され、前記第１の光源モジュールの発生した光線を前記第１のランプシェードの外側に反射するための凸面を有する反射部材を更に含む請求項１に記載のインテリジェントランプアッセンブリ。
【請求項４】
前記第１のランプシェードの内部に設置され且つ前記第１の光源モジュールの内側に位置する錐台状載置部材を更に含み、前記錐台状載置部材は、前記第１の光源モジュールの発生した光線を前記第１のランプシェードの外側に反射するための前記第１の光源モジュールに向かう反射面を有し、且つ前記撮影モジュールが前記第１の光源モジュール又は前記システムチップの作動時に発生した熱影響を受けることを避けるように、前記撮影モジュールを、前記第１の光源モジュール及び前記システムチップに対して実距離で隔離させることに用いられる請求項１に記載のインテリジェントランプアッセンブリ。
【請求項５】
前記撮影モジュールは、環境の明るさ及びスペクトルを感知して感光信号を発生し、前記システムチップに送信するように配置される感光素子を有し、これによって、前記システムチップが前記感光信号に応じて前記第１の光源モジュールの発光モードを調整し且つ前記第１のブルートゥースモジュールから前記制御信号を前記サブランプに送信することを同時に制御して、前記第２の光源モジュールの発光モードを更に調整するようにする請求項１に記載のインテリジェントランプアッセンブリ。
【請求項６】
前記ネットワークモジュールは、前記外部操作制御装置からの操作信号及び前記撮影モジュールの取得した画像信号を受信するように配置され、
前記システムチップは、
前記ネットワークモジュール及び前記撮影モジュールに電気的に接続されて、前記操作信号に応じて前記制御信号を発生し且つ前記画像信号を画像情報に変換するように配置される処理ユニットと、
前記処理ユニットに電気的に接続されて、前記画像情報を記憶するように配置される記憶ユニットと、
前記処理ユニット、前記第１の光源モジュール、前記撮影モジュール及び前記第１のブルートゥースモジュールに電気的に接続されて、前記制御信号に応じて前記第１の光源モジュール、前記撮影モジュール及び前記第１のブルートゥースモジュールを制御するように配置される制御ユニットと、
を更に含む請求項１に記載のインテリジェントランプアッセンブリ。
【請求項７】
前記メインランプは、前記第１のランプケースの底端に固定され、且つ前記システムチップに電気的に接続される第１のランプキャップを更に含み、
前記サブランプは、前記第２のランプケースの底端に固定され、且つ前記第２の光源モジュール及び前記第２のブルートゥースモジュールに電気的に接続される第２のランプキャップを更に含む請求項１に記載のインテリジェントランプアッセンブリ。
【請求項８】
前記第１のランプシェードの内部に設置される錐台状載置部材を更に含み、前記システムチップが前記錐台状載置部材の内部に設置され、且つ前記錐台状載置部材の側壁にアンテナ開口を有する請求項１に記載のインテリジェントランプアッセンブリ。
【請求項９】
前記第１のランプケースは、
収納空間を有する第１のケースと、
前記第１のケースの外に外嵌され、外側面にサイドライトが設けられる第２のケースと、
前記第２のケースにおける前記サイドライトに覆われる光透過ケースと、
を含む請求項１に記載のインテリジェントランプアッセンブリ。
【請求項１０】
前記第２のランプケースは、
収納空間を有する第１のケースと、
前記第１のケースの外に外嵌され、外側面にサイドライトが設けられる第２のケースと、
前記第２のケースにおける前記サイドライトに覆われる光透過ケースと、
を含む請求項１に記載のインテリジェントランプアッセンブリ。
【考案の詳細な説明】
【技術分野】
【０００１】
本考案は、ランプアッセンブリに関し、特にインテリジェントランプアッセンブリに関する。
【背景技術】
【０００２】
科学技術の発展に伴って、ランプにセキュリティ監視機能を加えるのは、現在のランプ発展の動向となっている。従来、ブルートゥースブレスレット（Ｂｌｕｅｔｏｏｔｈは登録商標）を身に着ける利用者を認識することにより、利用者に対する監視や、見知らぬ人に対する認識の目的が達成される撮影ランプがある。
【考案の概要】
【考案が解決しようとする課題】
【０００３】
しかしながら、利用者がブルートゥースブレスレットを身に着けなければセキュリティの認識ができない方式は、利用者に生活上の不便をもたらす場合が多い。更に、利用者は、複数のランプを買って自身で取り付ける以外にも、ランプのそれぞれを監視の機能を発揮可能にするために、ランプのそれぞれに対して初期化の設定を行う必要があり、このように、多大なコストがかかり、更に設定及び操作の難しさを増加する。
【課題を解決するための手段】
【０００４】
したがって、本考案の一目的は、操作が簡単で製造コストが低いメリットを有するインテリジェントランプアッセンブリを提供することにある。
【０００５】
本考案の上記目的によれば、インテリジェントランプアッセンブリを提供する。このインテリジェントランプアッセンブリは、第１のランプケース、第１のランプケースに設置される第１の光源モジュール、第１のランプケースに設置され且つ第１の光源モジュールを覆い、また開口部を有する第１のランプシェード、第１のランプシェードに固定され、開口部内に位置する撮影モジュール、並びに、制御信号を送信するように配置される第１のブルートゥースモジュール、及び無線信号又はインターネットによって外部操作制御装置に接続されるネットワークモジュールを更に含み、第１の光源モジュール及び撮影モジュールを制御するように、第１の光源モジュール及び撮影モジュールに電気的に接続されるシステムチップ、を有するメインランプと、第２のランプケース、第２のランプケースに設置される第２の光源モジュール、第２のランプケースに設置され且つ第２の光源モジュールを覆う第２のランプシェード、及び第１のブルートゥースモジュールの送信した制御信号を受信するように配置される第２のブルートゥースモジュール、を含み、メインランプに信号接続される少なくとも１つのサブランプと、を備える。
【０００６】
本考案の一実施例によれば、上記のメインランプは、第１の光源モジュールの外側に設置され、第１の光源モジュールの発生した光線を撮影モジュールの前方に反射するための凹面を有する反射部材を更に含む。
【０００７】
本考案の別の実施例によれば、上記のランプは、第１の光源モジュールの外側に設置され、第１の光源モジュールの発生した光線を第１のランプシェードの外側に反射するための凸面を有する反射部材を更に含む。
【０００８】
本考案のまた他の実施例によれば、上記のインテリジェントランプアッセンブリは、第１のランプシェードの内部に設置され且つ第１の光源モジュールの内側に位置する錐台状載置部材を更に含む。前記錐台状載置部材は、第１の光源モジュールの発生した光線を第１のランプシェードの外側に反射するための第１の光源モジュールに向かう反射面を有し、撮影モジュールが第１の光源モジュール又はシステムチップの作動時に発生した熱影響を受けることを避けるように、該撮影モジュールを、第１の光源モジュール及びシステムチップに対して実距離で隔離させることに用いられる。
【０００９】
本考案のさらに１つの実施例によれば、上記の撮影モジュールは、環境の明るさ及びスペクトルを感知し且つ感光信号を発生し、システムチップに送信するように配置される感光素子を有し、これによって、該システムチップが感光信号に応じて第１の光源モジュールの発光モードを調整し且つ第１のブルートゥースモジュールから制御信号を該サブランプに送信することを同時に制御して、第２の光源モジュールの発光モードを更に調整するようにする。
【００１０】
本考案のさらに１つの実施例によれば、上記のネットワークモジュールは、外部操作制御装置からの操作信号及び撮影モジュールの取得した画像信号を受信するように配置される。システムチップは、該ネットワークモジュール及び該撮影モジュールに電気的に接続されて、該操作信号に応じて該制御信号を発生し且つ該画像信号を画像情報に変換するように配置される処理ユニットと、処理ユニットに電気的に接続されて、画像情報を記憶するように配置される記憶ユニットと、処理ユニット、第１の光源モジュール、撮影モジュール及び第１のブルートゥースモジュールに電気的に接続されて、該制御信号に応じて該第１の光源モジュール、該撮影モジュール及び該第１のブルートゥースモジュールを制御するように配置される制御ユニットと、を含む。
【００１１】
本考案のさらに１つの実施例によれば、上記のメインランプは、第１のランプケースの底端に固定され、且つシステムチップに電気的に接続される第１のランプキャップを更に含む。サブランプは、第２のランプケースの底端に固定され、且つ第２の光源モジュール及び第２のブルートゥースモジュールに電気的に接続される第２のランプキャップを更に含む。
【００１２】
本考案のさらに１つの実施例によれば、上記のインテリジェントランプアッセンブリは、第１のランプシェードの内部に設置される錐台状載置部材を更に含む。システムチップは、錐台状載置部材の内部に設置され、且つ錐台状載置部材の側壁にアンテナ開口を有する。
【００１３】
本考案のさらに１つの実施例によれば、上記の第１のランプケースは、収納空間を有する第１のケースと、第１のケースの外に外嵌され、外側面にサイドライトが設けられる第２のケースと、第２のケースにおけるサイドライトを覆う光透過ケースと、を含む。
【００１４】
本考案のさらに１つの実施例によれば、上記の第２のランプケースは、収納空間を有する第１のケースと、第１のケースの外に外嵌され、外側面にサイドライトが設けられる第２のケースと、第２のケースにおけるサイドライトを覆う光透過ケースと、を含む。
【考案の効果】
【００１５】
上記によると、本考案におけるインテリジェントランプアッセンブリは、１つのメインランプ及び少なくとも１つのサブランプからなり、且つサブランプの構造がメインランプより単純である。利用者は、外部操作制御装置を操作することによってメインランプを制御することができ、且つ更にメインランプを利用してサブランプを制御することができる。したがって、利用者は、メインランプを設定する方式によってメインランプ及び全てのサブランプを同時に制御することができるため、インテリジェントランプアッセンブリの操作方式を簡単にし、製造コストを低減させる。更に、メインランプだけがネットワークの機能を有し、且つサブランプがブルートゥースだけでメインランプからの制御信号を受信できるため、インテリジェントランプアッセンブリ全体は、帯域幅を占めなく且つ省エネルギーである。
【００１６】
なお、本考案におけるメインランプは、撮影モジュールにおける感光素子を利用して環境の光線の明るさ及び色温度を判断することができ、且つそれ自体及びサブランプの発光モードを自動調整することができる。且つ、本考案におけるメインランプは、操作によって顔データベースを構築することもでき、且つその画像認識の機能によって見知らぬ人の侵入があるか否かを判断し、更に警告メッセージ及び現場の画像を利用者によって指定された外部操作制御装置に送信することができる。
【図面の簡単な説明】
【００１７】
下記図面の簡単な説明は、本考案の上記または他の目的、特徴、メリット、実施形態をより分かりやすくするためのものである。
【図１】本考案の一実施形態によるインテリジェントランプアッセンブリを示す装置模式図である。
【図２】本考案の一実施形態によるメインランプを示す分解模式図である。
【図３】本考案の一実施形態によるメインランプを示す断面模式図である。
【図４】本考案の他の実施形態によるメインランプを示す一部断面模式図である。
【図５】本考案の一実施形態によるサブランプを示す断面模式図である。
【図６】本考案の一実施形態によるインテリジェントランプアッセンブリの自動調光の流れを示す模式図である。
【図７】本考案の一実施形態によるインテリジェントランプアッセンブリのセキュリティ監視の流れを示す模式図である。
【考案を実施するための形態】
【００１８】
まず、図１を参照すると、図１は、本考案の一実施形態によるインテリジェントランプアッセンブリを示す装置模式図である。本実施形態におけるインテリジェントランプアッセンブリ１００は、主にメインランプ２００及び少なくとも１つのサブランプ３００を備える。本実施例において、メインランプ２００の構造は、サブランプ３００の構造と異なり、且つサブランプ３００の構造それ自体がメインランプ２００の構造より単純である。実用時に、メインランプ２００それ自体は、その元の発光及び撮影機能を発揮することができる以外にも、利用者の操作に応じてサブランプ３００の発光状態を制御することもできる。
【００１９】
図２及び図３を併せて参照すると、図２は、本考案の一実施形態によるメインランプを示す分解模式図であり、図３は、本考案の一実施形態によるメインランプを示す断面模式図である。本実施形態におけるメインランプ２００は、第１のランプケース２１０、第１の光源モジュール２２０、第１のランプシェード２３０、撮影モジュール２４０、システムチップ２５０、反射部材２６０、錐台状載置部材２７０及び第１のランプキャップ２８０を含む。さらに、第１の光源モジュール２２０、システムチップ２５０、反射部材２６０及び錐台状載置部材２７０は、第１のランプケース２１０に固定される。第１のランプシェード２３０は、第１のランプケース２１０の頂端に覆われ、撮影モジュール２４０は、第１のランプシェード２３０に固定され、且つ第１のランプキャップ２８０が第１のランプケース２１０の底端に固定されて、第１のランプシェード２３０、第１のランプケース２１０及び第１のランプキャップ２８０を組み合わせて通常の電球ランプの外形を形成するようにする。第１のランプキャップ２８０は、電力を第１の光源モジュール２２０、撮影モジュール２４０及びシステムチップ２５０に伝導するように、主にランプソケットに捻じ込むことに用いられる。
【００２０】
再び図２及び図３を参照すると、第１のランプシェード２３０は、開口部２３１を有する。撮影モジュール２４０は、第１のランプシェード２３０の開口部２３１内に固定される。錐台状載置部材２７０は、第１のランプケース２１０に設置されて、且つ第１のランプシェード２３０の内部に位置する。本実施例において、錐台状載置部材２７０の頂面２７１が第１のランプシェード２３０の開口部２３１に向かい合い、且つ撮影モジュール２４０が錐台状載置部材２７０の頂面２７１に取り付けられることができる。図２及び図３に示すように、第１の光源モジュール２２０は、環状構造であり、且つ第１のランプケース２１０に設置され且つ錐台状載置部材２７０を取り囲む。本実施例において、錐台状載置部材２７０の第１の光源モジュール２２０に向かう外表面は、反射面２７２であるため、第１の光源モジュール２２０の発生した光線を第１のランプシェード２３０の外側に反射することができる。
【００２１】
再び図２及び図３を参照すると、反射部材２６０は、同様に環状構造であり、第１のランプケース２１０に設置され且つ第１の光源モジュール２２０を取り囲む。本実施例において、反射部材２６０は、第１の光源モジュール２２０に向かう凹面２６１を有する。これによって、凹面２６１は、撮影モジュール２４０前方の光線の不足を補償するように、第１の光源モジュール２２０の発生した光線を撮影モジュール２４０の前方に反射することができる。ある実施例において、凹面２６１は、凹弧面又は凹斜面であってよく、その弧度又は勾配が第１の光源モジュール２２０及び撮影モジュール２４０のサイズに応じて設計されることができる。
【００２２】
注意すべきなのは、図３に示すような反射部材２６０が凹面であることは本考案を制限するためのものでなく、その他の例において、反射部材は、異なる構造設計を有してもよい。図４を参照すると、図４は、本考案の他の実施形態によるメインランプを示す一部断面模式図である。本実施形態におけるメインランプ２００’の構造は、図３に示すようなメインランプ２００の構造とほぼ同じであるが、メインランプ２００’の反射部材２６０’が異なる構造設計を有する点だけで異なる。図４に示すように、メインランプ２００’の反射部材２６０’は、凸面を有し、この凸面が、メインランプ２００’の出光角度を増加するように、主に第１の光源モジュール２２０の発生した光線を第１のランプシェード２３０の外側に反射する。
【００２３】
再び図２及び図３を参照すると、システムチップ２５０は、第１のランプケース２１０に設置され、第１の光源モジュール２２０及び撮影モジュール２４０に電気的に接続され、且つ第１の光源モジュール２２０及び撮影モジュール２４０を制御することができる。本実施例において、システムチップ２５０の設置位置は、撮影モジュール２４０から一定の距離を保持して、システムチップ２５０の作動時に発生した熱源が撮影モジュール２４０の作動に影響を及ぼすことを避ける。一例において、システムチップ２５０は、フラットケーブルによって撮影モジュール２４０に電気的に接続されることができる。その他の実施例において、システムチップ２５０は、第１のランプケース２１０に設置され且つ錐台状載置部材２７０の内部にあり、且つシステムチップ２５０の発生した信号が錐台状載置部材２７０の側壁におけるアンテナ開口２７３によって外部に送信されることができる。したがって、撮影モジュール２４０を錐台状載置部材２７０の頂面に設置し、システムチップ２５０を錐台状載置部材２７０の内部に設置し、そして第１の光源モジュール２２０を錐台状載置部材２７０を取り囲むように設計することによって、錐台状載置部材２７０は、撮影モジュール２４０が第１の光源モジュール２２０又はシステムチップ２５０の作動時に発生した熱影響を受けることを避けるように、撮影モジュール２４０を、第１の光源モジュール２２０及び該システムチップ２５０に対して実距離で隔離させることに用いられることができる。
【００２４】
図３に示すように、本実施形態における第１のランプケース２１０は、第１のケース２１１、第２のケース２１２及び光透過ケース２１３を含む。第１のケース２１１は、収納空間２１１ａを有し、この収納空間２１１ａがシステムチップ２５０、システム電源又はメモリ等の素子を収納することもできる。第２のケース２１２は、第１のケース２１１の外に外嵌され、且つ外側面にサイドライト２１４が設けられる。光透過ケース２１３は、第２のケース２１２におけるサイドライト２１４に覆われるため、サイドライト２１４の発生した光線が光透過ケース２１３から射出することができる。一例において、第２のケース２１２が金属熱伝導部材であってよいため、サイドライト２１４の発生した熱は、直接第２のケース２１２に伝達され、外部に排出されて、更に放熱効果が達成される。注意すべきなのは、第１のランプケース２１０の構造は、その他の必要に応じて設計してもよく、図３に示すような構造に制限されない。
【００２５】
図１及び図３を併せて参照すると、システムチップ２５０は、第１のブルートゥースモジュール２５１、ネットワークモジュール２５２、処理ユニット２５３、記憶ユニット２５４及び制御ユニット２５５を含む。ネットワークモジュール２５２は、主に無線信号又はインターネットによって外部操作制御装置５００に接続され、且つ主に外部操作制御装置５００からの操作信号を受信することに用いられる。本実施例において、外部操作制御装置５００は、携帯電話、タブレットコンピュータ又はノートパソコンなどの携帯用電子機器、或いは通常のデスクトップコンピュータなどであってもよい。なお、本実施例で言及された操作信号は、例えばランプの明るさ又は色温度を調整し、或いはメインランプ２００の監視又は自動調光機能を起動する指令のような利用者の操作指令と定義されてもよい。
【００２６】
再び図１及び図３を参照すると、処理ユニット２５３は、ネットワークモジュール２５２及び撮影モジュール２４０に電気的に接続される。本実施例において、処理ユニット２５３は、操作信号に応じて制御信号を発生し、撮影モジュール２４０の取得した画像信号を画像情報に変換するように配置される。簡単に言うと、処理ユニット２５３は、主に利用者の操作指令に応じて、対応する制御信号を発生することができる。記憶ユニット２５４は、処理ユニット２５３に電気的に接続され、且つ画像情報及びメインランプ２００に必要な制御プログラム又は作業システムを記憶するように配置される。
【００２７】
制御ユニット２５５は、処理ユニット２５３、第１の光源モジュール２２０、撮影モジュール２４０及び第１のブルートゥースモジュール２５１に電気的に接続される。制御ユニット２５５は、制御信号に応じて第１の光源モジュール２２０、撮影モジュール２４０及び第１のブルートゥースモジュール２５１を制御するように配置される。更に、制御ユニット２５５は、主に第１の光源モジュール２２０の明るさ又は色温度を制御することができる。或いは、制御ユニット２５５は、撮影モジュール２４０が画像信号をネットワークモジュール２５２によって外部操作制御装置５００に送信することを制御することもできる。なお、制御ユニット２５５は、サブランプ３００を更に制御するように、第１のブルートゥースモジュール２５１が制御信号をサブランプ３００に送信することを制御することもできる。ある実施例において、撮影モジュール２４０は、環境の明るさ及びスペクトルを感知し且つ感光信号を発生し、システムチップ２５０に送信するように配置される感光素子２４１を有する。これによって、制御ユニット２５５は、感光信号に応じて第１の光源モジュール２２０の明るさ又は色温度を調整することができ、更にサブランプ３００の明るさ又は色温度を調整するように、また第１のブルートゥースモジュール２５１によって制御信号をサブランプ３００に送信することができる。
【００２８】
また図５を参照すると、図５は、本考案の一実施形態によるサブランプを示す断面模式図である。本実施例において、サブランプ３００は、第２のランプケース３１０、第２の光源モジュール３２０、第２のランプシェード３３０、第２のブルートゥースモジュール３４０及び第２のランプキャップ３５０を含む。第２の光源モジュール３２０及び第２のブルートゥースモジュール３４０は、第２のランプケース３１０に固定され、第２のランプシェード３３０は、第２のランプケース３１０の頂端に覆われ、且つ第２のランプキャップ３５０は、第２のランプケース３１０の底端に固定されて、これによって、第２のランプシェード３３０、第２のランプケース３１０及び第２のランプキャップ３５０を組み合わせて通常の電球ランプの外形を形成する。第２のランプキャップ３５０は、電力を第２の光源モジュール３２０及び第２のブルートゥースモジュール３４０に伝導するように、主にランプソケット内に捻じ込まれることに用いられる。
【００２９】
図１及び図５を併せて参照すると、サブランプ３００の第２のブルートゥースモジュール３４０は、更に第２の光源モジュール３２０の明るさ又は色温度を調整するように、主にメインランプ２００から送信した制御信号を受信することに用いられる。図５に示すように、本実施形態における第２のランプケース３１０は、第１のケース３１１、第２のケース３１２及び光透過ケース３１３を含む。第１のケース３１１は、システム電源などの必要な素子を収納することもできる収納空間３１１ａを有する。第２のケース３１２は、第１のケース３１１の外に外嵌され、且つ外側面にサイドライト３１４が設けられる。光透過ケース３１３が第２のケース３１２におけるサイドライト３１４に覆われるため、サイドライト３１４の発生した光線が光透過ケース３１３から射出することができる。一例において、第２のケース３１２が金属熱伝導部材であってもよいため、サイドライト３１４の発生した熱は、直接第２のケース３１２に伝達され、外部に排出されて、更に放熱効果が達成される。注意すべきなのは、第２のランプケース３１０の構造は、その他の必要に応じて設計してもよく、図５に示すような構造に制限されない。
【００３０】
以下で本考案におけるインテリジェントランプアッセンブリ１００を利用して自動調光を実現する操作の流れを説明する。図１及び図６を併せて参照すると、図６は、本考案の一実施形態によるインテリジェントランプアッセンブリの自動調光の流れを示す模式図である。自動調光の流れ６００において、まず、工程６０１を行い、利用者は、外部操作制御装置５００を利用して全体のインテリジェントランプアッセンブリ１００の光線のデフォルト値を設定する。次に、工程６０２を行い、撮影モジュール２４０の感光素子２４１を利用して環境の感光度を判断する。続いて、工程６０３を行い、システムチップ２５０における処理ユニット２５３は、光線のデフォルト値と環境の感光度を比較する。最後に、工程６０４を行い、制御ユニット２５５は、比較結果に応じて第１の光源モジュール２２０の明るさ又は色温度を調整することができ、且つ更にサブランプ３００の明るさ又は色温度を制御するように、第１のブルートゥースモジュール２５１によって制御信号をサブランプ３００に送信することができる。
【００３１】
また図１及び図７を参照すると、図７は、本考案の一実施形態によるインテリジェントランプアッセンブリのセキュリティ監視の流れを示す模式図である。セキュリティ監視の流れ７００において、まず、工程７０１を行い、利用者は、外部操作制御装置５００を利用して、撮影モジュール２４０が環境参照画像及び顔データを構築してシステムチップ２５０の記憶ユニット２５４に記憶することを制御する。次に、工程７０２を行い、撮影モジュール２４０は、画像を撮影し続ける。続いて、工程７０３を行い、処理ユニット２５３は、環境参照画像に応じて撮影モジュール２４０の後で取得した画像中に環境参照画像に存在しない人が含まれるか否かを判断する。結果がＹＥＳとなると、工程７０４を行い、処理ユニット２５３は、後で取得した画像における人が記憶ユニット２５４における顔データに合致するか否かを比較する。判断結果がＮＯとなると、工程７０５を行い、制御ユニット２５５は、利用者に知らせるように、後で取得した画像をネットワークモジュール２５２によって外部操作制御装置５００に送信することができる。
【００３２】
上記の本考案の実施形態から分かるように、本考案におけるインテリジェントランプアッセンブリは、１つのメインランプ及び少なくとも１つのサブランプからなり、且つサブランプの構造がメインランプより単純である。利用者は、外部操作制御装置を操作することによってメインランプを制御することができ、且つ更にメインランプを利用してサブランプを制御することができる。したがって、利用者は、メインランプを設定する方式だけによってメインランプ及び全てのサブランプを同時に制御することができるため、インテリジェントランプアッセンブリの操作方式を簡単にし、製造コストを低減させることができる。更に、メインランプだけがネットワークの機能を有し、且つサブランプがブルートゥースだけでメインランプからの制御信号を受信できるため、インテリジェントランプアッセンブリ全体は、帯域幅を占めなく且つ省エネルギーである。
【００３３】
なお、本考案におけるメインランプは、撮影モジュールにおける感光素子を利用して環境の光線の明るさ及び色温度を判断することができ、且つその自体及びサブランプの発光モードを自動調整することができる。且つ、本考案におけるメインランプは、操作によって顔データベースを構築することもでき、且つその画像認識の機能によって見知らぬ人の侵入があるか否かを判断し、更に警告メッセージ及び現場の画像を利用者で指定された外部操作制御装置に送信することができる。
【００３４】
本考案は実施形態を前述の通りに開示したが、これは本考案を限定するものではなく、当業者であれば、本考案の精神と範囲から逸脱しない限り、多様の変更や修飾を加えることができる。従って、本考案の保護範囲は、下記実用新案登録請求の範囲で指定した内容を基准とするものである。
【符号の説明】
【００３５】
１００  インテリジェントランプアッセンブリ
２００  メインランプ
２００’  メインランプ
２１０  第１のランプケース
２１１  第１のケース
２１２  第２のケース
２１３  光透過ケース
２１４  サイドライト
２２０  第１の光源モジュール
２３０  第１のランプシェード
２３１  開口部
２４０  撮影モジュール
２４１  感光素子
２５０  システムチップ
２５１  第１のブルートゥースモジュール
２５２  ネットワークモジュール
２５３  処理ユニット
２５４  記憶ユニット
２５５  制御ユニット
２６０  反射部材
２６０’  反射部材
２６１  凹面
２７０  錐台状載置部材
２７１  頂面
２７２  反射面
２８０  第１のランプキャップ
３００  サブランプ
３１０  第２のランプケース
３１１  第１のケース
３１２  第２のケース
３１３  光透過ケース
３１４  サイドライト
３２０  第２の光源モジュール
３３０  第２のランプシェード
３４０  第２のブルートゥースモジュール
３５０  第２のランプキャップ
５００  外部操作制御装置
６００  自動調光の流れ
６０１  工程
６０２  工程
６０３  工程
６０４  工程
７００  セキュリティ監視の流れ
７０１  工程
７０２  工程
７０３  工程
７０４  工程
７０５  工程
【図１】
0003211089.tif 000003
【図２】
0003211089.tif 000004
【図３】
0003211089.tif 000005
【図４】
0003211089.tif 000006
【図５】
0003211089.tif 000007
【図６】
0003211089.tif 000008
【図７】
0003211089.tif 000009